(57)【特許請求の範囲】
【請求項１】
画像および該画像の付帯情報を含む撮影画像情報が複数供給され、該供給された複数の撮影画像情報が担持する各画像を撮影順に並べ一覧表示してインデックスプリントを作成するインデックスプリント作成装置において、
前記付帯情報を表示誇張度の値に換算する表示誇張度基準を用いて、各画像の表示誇張度の値を各画像の前記付帯情報から取得する表示誇張度取得手段と、
各画像を、該画像に対応する表示誇張度の値が大きいほど誇張して表示する表示制御手段とを備えたことを特徴とするインデックスプリント作成装置。
【請求項２】
前記表示制御手段が、各画像を、該画像に対応する表示誇張度の値が大きいほど大きく表示するものであることを特徴とする請求項１記載のインデックスプリント作成装置。
【請求項３】
前記付帯情報が、各画像に含まれる人の顔の数を示す情報を含むものであり、
前記表示誇張度基準が、人の顔の数が多い画像ほど該画像の表示誇張度の値を大きくするように設定されていることを特徴とする請求項１または２記載のインデックスプリント作成装置。
【請求項４】
前記付帯情報が、プリント注文枚数を含むものであり、
前記表示誇張度基準が、プリント注文枚数の多い画像ほど該画像の表示誇張度の値を大きくするように設定されていることを特徴とする請求項１または２記載のインデックスプリント作成装置。
【請求項５】
画像および該画像の付帯情報を含む複数撮影画像情報が供給され、該供給された複数の撮影画像情報が担持する各画像を撮影順に並べ一覧表示してインデックスプリントを作成するインデックスプリント作成方法において、
前記付帯情報を表示誇張度の値に換算する表示誇張度基準を用いて、各画像の表示誇張度の値を各画像の前記付帯情報から取得し、
各画像を、該画像に対応する表示誇張度の値が大きいほど誇張して表示することを特徴とするインデックスプリント作成方法。
【請求項６】
画像および該画像の付帯情報を含む複数撮影画像情報が供給され、該供給された複数の撮影画像情報が担持する各画像を撮影順に並べ一覧表示してインデックスプリントを作成するインデックスプリント作成方法をコンピュータに実行させるためのプログラムにおいて、
前記付帯情報を表示誇張度の値に換算する表示誇張度基準を用いて、各画像の表示誇張度の値を各画像の前記付帯情報から取得する手順と、
各画像を、該画像に対応する表示誇張度の値が大きいほど誇張して表示する手順とを実行することを特徴とするインデックスプリント作成方法をコンピュータに実行させるためのプログラム。
【発明の詳細な説明】
【技術分野】
【０００１】
本発明は、供給された撮影画像情報が担持する画像を撮影順に並べて一覧表示してインデックスプリントを作成するインデックスプリント作成方法および装置ならびにインデックスプリント作成方法をコンピュータに実行させるためのプログラムに関するものである。
【背景技術】
【０００２】
従来より、デジタルカメラ等で撮影し記録媒体に記録した多数の画像を上記記録媒体から読み出して一枚のプリント用紙上に撮影順に一覧表示してなるインデックスプリントが知られている（特許文献１参照）。上記インデックスプリントには、上記記録媒体に記録した画像の全てが撮影順に表示されるので、例えば気に入った画像を選択して大判サイズでプリント注文する際に利用することができる。
【特許文献１】特開２００５-１１９０８３号公報
【発明の開示】
【発明が解決しようとする課題】
【０００３】
ところで、上記インデックスプリントに表示する画像のうちの注目される画像を他の画像より誇張して、例えば大きくしてこのインデックスプリントに表示する検討も行なわれている。このような場合、例えば、拡大表示したい画像をユーザが指定してインデックスプリントを作成することも考えられる。しかしながら、インデックスプリントは、主にプリント注文する画像等を検索する用途に使用するものであり、そのようなインデックスプリントの取得に際してユーザに負担をかけることなく注目される画像を誇張して表示させたいという要請がある。
【０００４】
本発明は、上記事情に鑑みてなされたものであり、ユーザに負担をかけることなくインデックスプリントの表示品質を高めることができるインデックスプリント作成方法および装置ならびにプログラムを提供することを目的とするものである。
【課題を解決するための手段】
【０００５】
本発明のインデックスプリント作成装置は、画像およびその画像の付帯情報を含む撮影画像情報が複数供給され、供給された複数の撮影画像情報が担持する各画像を撮影順に並べ一覧表示してインデックスプリントを作成するインデックスプリント作成装置において、付帯情報を表示誇張度の値に換算する表示誇張度基準を用いて、各画像の表示誇張度の値を各画像の付帯情報から取得する表示誇張度取得手段と、各画像を、該画像に対応する表示誇張度の値が大きいほど誇張して表示する表示制御手段とを備えたことを特徴とするものである。
【０００６】
前記表示制御手段は、各画像を、該画像に対応する表示誇張度の値が大きいほど大きく表示するものとすることができる。
【０００７】
前記付帯情報が各画像に含まれる人の顔の数を示す情報を含むものであり、表示誇張度基準は、人の顔の数が多い画像ほどその画像の表示誇張度の値を大きくするように設定されているものとすることができる。
【０００８】
前記付帯情報がプリント注文枚数を含むものであり、表示誇張度基準は、プリント注文枚数の多い画像ほどその画像の表示誇張度の値を大きくするように設定されているものとすることができる。
【０００９】
本発明のインデックスプリント作成方法は、画像およびその画像の付帯情報を含む複数撮影画像情報が供給され、供給された複数の撮影画像情報が担持する各画像を撮影順に並べ一覧表示してインデックスプリントを作成するインデックスプリント作成方法において、前記付帯情報を表示誇張度の値に換算する表示誇張度基準を用いて、各画像の表示誇張度の値を各画像の付帯情報から取得し、各画像を、該画像に対応する表示誇張度の値が大きいほど誇張して表示することを特徴とするものである。
【００１０】
本発明のインデックスプリント作成方法をコンピュータに実行させるためのプログラムは、画像およびその画像の付帯情報を含む複数撮影画像情報が供給され、供給された複数の撮影画像情報が担持する各画像を撮影順に並べ一覧表示してインデックスプリントを作成するプログラムにおいて、前記付帯情報を表示誇張度の値に換算する表示誇張度基準を用いて、各画像の表示誇張度の値を各画像の付帯情報から取得する手順と、各画像を、該画像に対応する表示誇張度の値が大きいほど誇張して表示する手順とを実行することを特徴とするものである。
【００１１】
前記撮影画像情報が担持する画像は被写体を撮影して得られたものである。
【００１２】
前記画像を誇張して表示するとは、誇張して表示する画像を誇張して表示しない画像より容易に視認できるように表示することを意味する。
【００１３】
前記表示誇張度の値が大きいほど誇張して表示するとは、表示誇張度の値の大きさに応じて段階的に誇張して表示を行なう場合を含むものを意味する。さらに、上記段階は２段階とすることもできる。
【００１４】
前記画像の表示は、画像を印刷して表示する方式や、画像を感光材料上に露光した後この感光材料を現像して表示する方式等を採用することができる。
【発明の効果】
【００１５】
本発明のインデックスプリント作成方法および装置ならびにプログラムによれば、付帯情報を表示誇張度の値に換算する表示誇張度基準を用いて、各画像の表示誇張度の値を各画像の付帯情報から取得し、各画像をその画像に対応する表示誇張度の値が大きいほど誇張して表示するようにしたので、ユーザに負担をかけることなくインデックスプリント中に表示する画像の誇張度合いを自動的に定めることができ、その誇張度合いに応じて画像を誇張して表示することができるので、インデックスプリントの表示品質を高めることができる。
【００１６】
また、上記表示誇張度基準を、人の顔の数が多いほど画像の表示誇張度の値を大きくするように設定したり、プリント注文枚数の多い画像ほどこの画像の表示誇張度の値を大きくするように設定したりすれば、インデックスプリント中に画像を表示するときの表示誇張度の値をより確実に定めることができインデックスプリントの表示品質をより確実に高めることができる。
【００１７】
なお、表示制御手段を、各画像をその画像に対応する表示誇張度の値が大きいほど大きく表示するものとすれば、誇張すべき画像をより確実に誇張して表示することができるので、インデックスプリントの表示品質をより確実に高めることができる。
【発明を実施するための最良の形態】
【００１８】
以下、本発明の実施の形態について、図面を用いて説明する。図１は本発明のインデックスプリント作成方法を実施するインデックスプリント作成装置の概略構成を示すブロック図、図２は付帯情報に含まれる部分評価情報を部分評価項目毎に示す部分評価情報一覧表、図３は表示誇張度基準を示す表示誇張度基準表、図４は上記表示誇張度基準における基準項目毎の部分評価ポイントを積算して求めた各画像の表示誇張度の値の集計一覧表、図５はインデックスプリント用紙上に画像を表示してなるインデックスプリントを示す図である。
【００１９】
本発明のインデックスプリント作成装置１００は、画像および上記画像の付帯情報を含む複数の撮影画像情報が供給され、上記複数の撮影画像情報が担持する上記画像を撮影順に並べ一覧表示してインデックスプリント５を作成するものである。
【００２０】
このインデックスプリント作成装置１００は、付帯情報を表示誇張度の値（以後、表示誇張度値という）に換算する表示誇張度基準を用いて、各画像の表示誇張度値を各画像の付帯情報から取得する表示誇張度取得手段１０と、各画像を、それらの画像に対する表示誇張度値が大きいほど誇張して表示する表示制御手段２０とを備えている。
【００２１】
上記撮影順は、撮影画像情報に含まれる各画像の撮影時期の時系列順である。
【００２２】
上記インデックスプリント作成装置１００の外部には、デジタルカメラ等で被写体を撮影して得た各画像と各画像の付帯情報を含む撮影画像情報が記録されたリムーバブル記録メディアやＣＤ-ＲＯＭ等からなる記録媒体８９から上記撮影画像情報を入力する入力部８１と、上記入力部８１から入力した撮影画像情報を記憶するハードディスクである記憶部８２とが配置されている。
【００２３】
また、表示制御手段２０による各画像の表示は、画像を印刷して表示する方式や、画像を感光材料上に露光した後この感光材料を現像して表示する方式等を採用することができる。
【００２４】
上記インデックスプリント作成装置１００は、上記記憶部８２に記憶された上記撮影画像情報を入力しこの撮影画像情報から画像を示す画像情報とその画像に付帯する付帯情報に含まれる後述する部分評価情報とを分離して取得する画像情報処理部３０を備えており、この画像情報処理部３０が、上記部分評価情報を含む付帯情報を表示誇張度取得部１０へ入力する。なお、上記画像情報処理部３０は上記表示誇張度取得手段１０が兼用するものとしてもよい。また、この画像情報処理部３０はインデックスプリント作成装置１００が備える場合に限らず、インデックスプリント作成装置１００の外部に配置されたものとしてもよい。
【００２５】
図２は、撮影画像情報に含まれる画像Ｇ１からＧ１２それぞれの付帯情報に含まれる部分評価情報を部分評価項目毎に示す部分評価情報一覧表である。
【００２６】
図２中の矢印Ｙ１で示す領域には上記各部分評価項目が示されている。ここでは、部分評価項目は、（１）プリント注文の有無、（２）プリント注文枚数、（３）同一日付の画像数、（４）被写体人数、（５）画像中の顔の大きさ、（６）画像連続性の有無、（７）動画の有無、（８）撮影失敗の有無である。
【００２７】
ここで、上記「（３）同一日付の画像数」は同一日に撮影された画像の数である。例えば、１月２日に撮影された画像は画像Ｇ１〜Ｇ５の５つであるので、画像Ｇ１、Ｇ２、Ｇ３、Ｇ４、およびＧ５における同一日付の画像数は５である。
【００２８】
また、「（４）被写体人数」は、画像に含まれる人の顔の数である。「（５）画像中の顔の大きさ」は、画像を表す全領域の大きさに対するこの画像に含まれる人の顔を表す領域の大きさの比率である。
【００２９】
また、「（６）画像連続性の有無」は、同じような画像が続くときの連続数である。例えば、画像Ｇ３〜Ｇ５の画像は類似した画像内容を持つので、画像Ｇ３、Ｇ４、Ｇ５における画像連続性は有るということになる。
【００３０】
さらに、「（７）動画の有無」は、画像に対応して撮影された動画の有無である。また、「（８）撮影失敗の有無」は、画像ブレの有無である。
【００３１】
図２中の矢印Ｙ２で示す領域には、上記画像情報処理部３０によって取得された各画像についての部分評価項目毎の部分評価情報が示されている。例えば画像Ｇ２の部分評価情報は、部分評価項目の上記項目（１）ではプリント注文有り、上記項目（２）ではプリント注文枚数１、上記項目（３）では同一日付の画像数５、上記項目（４）では被写体人数４人、上記項目（５）では画像中の顔の大きさが小、上記項目（６）では画像連続性無し、上記項目（７）では動画無し、上記項目（８）では撮影失敗無しである。
【００３２】
ここでは、上記画像情報処理部３０が撮影画像情報中の画像等を読み取り、従来より知られている画像処理等の手法を適用して、上記（４）被写体人数、（５）画像中の顔の大きさ、（６）画像連続性の有無、（７）動画の有無、（８）撮影失敗の有無の各部分評価項目についての部分評価情報を取得する。
【００３３】
図３は、表示誇張度基準を示す表示誇張度基準表であり、この表示誇張度基準表は、基準項目と、各基準項目に対応する部分評価ポイント設定基準とで構成されている。上記部分評価ポイント設定基準は、設定基準とこの設定基準毎の部分評価ポイントとで構成されている。図３に示すように、基準項目は、（ａ）プリント注文の有無、（ｂ）プリント注文枚数、（ｃ）同一日付の画像数、（ｄ）被写体人数、（ｅ）撮影失敗の有無である。
【００３４】
上記と同様に、「（ｄ）被写体人数」は、画像に含まれる人の顔の数である。また、「（ｄ）撮影失敗の有無」は、画像ブレの有無である。
【００３５】
そして、部分評価ポイント設定基準は、上記プリント注文有りの場合の部分評価ポイントを１０ポイント、無しの場合の部分評価ポイントを０ポイントに設定する。
【００３６】
また、上記と同様に部分評価ポイント設定基準は、部分評価ポイントを、プリント注文枚数が５枚以上の場合に１５ポイント、プリント注文枚数が１〜４枚の場合に７ポイント、プリント注文枚数が０枚の場合に１０ポイントに設定する。
【００３７】
さらに、上記と同様に部分評価ポイント設定基準は、部分評価ポイントを、同一日付けの画像数が１０以上の場合に２０ポイント、５〜９の場合に１５ポイント、１〜４の場合に１０ポイント、０の場合に０ポイントに設定する。
【００３８】
また、部分評価ポイント設定基準は、部分評価ポイントを、被写体人数が５人以上の場合に１５ポイント、２〜４人の場合に１０ポイント、１人の場合に１ポイント、０人の場合に０ポイントに設定する。
【００３９】
また、部分評価ポイント設定基準は、部分評価ポイントを、画像ブレが生じている場合に−２０ポイント、画像ブレが生じていない場合に０ポイントに設定する。
【００４０】
上記部分評価情報一覧表と表示誇張度基準表とを用いて、表示誇張度値を求める場合について説明する。
【００４１】
図４は、上記基準項目毎の部分評価ポイントを積算して求めた各画像毎の表示誇張度値を示す表示誇張度値の集計一覧表である。
【００４２】
例えば、画像Ｇ２については、基準項目である（ａ）プリント注文有無の部分評価ポイントは１０ポイント、（ｂ）プリント注文枚数の部分評価ポイントは７ポイント、（ｃ）同一日付の画像数の部分評価ポイントは１５ポイント、（ｄ）被写体人数の部分評価ポイントは１０ポイント、（ｅ）撮影失敗の有無の部分評価ポイントは０ポイントである。
【００４３】
そして、上記基準項目毎の部分評価ポイントを積算して求めた上記画像Ｇ２の表示誇張度値は４２ポイントとなる。
【００４４】
上記と同様に各画像Ｇ１〜Ｇ１２についての表示誇張度値を求めることができる。
【００４５】
このようにして、表示誇張度取得部１０が、表示誇張度基準を用いて各画像毎の表示誇張度値を取得する。
【００４６】
次に、画像情報処理部３０から各画像が入力されるとともに、表示誇張度取得部１０から各画像の表示誇張度値が入力された表示制御部２０が、各画像を白紙状態のインデックスプリント用紙５′上に表示するが、ここでは、表示誇張度値が予め定められた閾値以上、ここでは４０ポイント以上である表示誇張度値を持つ画像を標準形態より誇張した誇張形態で表示する。より具体的には、表示誇張度値が４０ポイント以上である画像を標準サイズより大きい大判サイズで表示し、４０ポイント未満の画像を標準サイズで表示する。
【００４７】
図５は、上記各画像が印刷され表示されたインデックスプリント５を示す図である。
【００４８】
上記図５に示すように、インデックスプリント用紙５′上に、表示誇張度値が４２ポイントの画像Ｇ２が大判サイズで表示され、その他の表示誇張度値が閾値（４０ポイント）未満の画像が標準サイズで表示される。
【００４９】
なお、画像Ｇ１〜１２Ｇはインデックスプリント用紙５′上に撮影順に並べられている。この撮影順は、各画像の表示領域の重心位置を基準にして定めている。例えば、画像を示す領域が長方形形状の場合には、この長方形形状の互に異なる２つの対角線の交点の位置が上記画像の重心位置となる。ここでは、撮影順は、インデックスプリント用紙５′のより上側（図中矢印＋Ｙ方向）の位置により過去に遡った時刻に撮影された画像が表示されるように設定されている。また、上記撮影順は、左右方向より上下方向の優先度を高く設定しているので、２つの画像の重心位置を上下方向（図中矢印±Ｙ方向）に一致させて各画像を表示させる場合には、インデックスプリント用紙５′のより左側（図中矢印＋Ｘ方向）により過去に遡った時刻に撮影された画像が表示されるように設定されている。
【００５０】
換言すれば、撮影順は、インデックスプリント用紙５′のより下側（図中矢印-Ｙ方向）により新しい時刻に撮影された画像の重心位置を位置させるように設定されている。また、上記撮影順は、２つの画像の重心位置をインデックスプリント用紙５の上下方向（図中矢印±Ｙ方向）に一致させて各画像を表示させる場合にはインデックスプリント用紙５′のより右側（図中矢印-Ｘ方向）により新しい時刻に撮影された画像が表示されるように設定されている。
【００５１】
上記撮影順に並べる際に基準とする表示領域中の位置は必ずしも上記重心位置に限らず、上記のように画像を示す領域が長方形形状の場合には、画像の表示領域の左上角部等を基準にしてもよい。
【００５２】
なお、上記時刻は各画像の付帯する撮影時期の示す時刻に対応するものである。
【００５３】
なお、上記場合には、（ａ）プリント注文の有無、（ｂ）プリント注文枚数、（ｃ）同一日付の画像数、（ｄ）被写体人数、および（ｅ）撮影失敗の有無を、表示誇張度値を取得する際の表示誇張基準の各基準項目としたが、上記（ａ）〜（ｅ）のいずれか１つを基準項目としたり、（ａ）〜（ｅ）のうちの２つ以上の組み合わせを基準項目としてもよい。さらに、上記部分評価項目のうちの（５）画像中の顔の大きさ、（６）画像連続性の有無、（７）動画の有無等に対応するように表示誇張基準の基準項目、および部分評価ポイント設定基準を設定して、上記表示誇張度値を取得するようにしてもよい。
【００５４】
なお、基準項目として上記「（５）画像中の顔の大きさ」のみを採用し、例えば、部分評価ポイント設定基準を、画像を表す全領域の大きさに対するこの画像に含まれる人の顔を表す領域の大きさの比率が１/５以上（図２中の部分評価情報が中または大）のときには０ポイント、１/５未満（図２中の部分評価情報が小）のときには１０ポイントと設定する。そして、表示誇張度値が１０ポイント以上の画像は画像を標準サイズより拡大して表示することなく画像の縁部に枠を付けてその画像を強調して表示するようにしてもよい。
【００５５】
また、上記画像および該画像の付帯情報を含む撮影画像情報が１枚のインデックスプリント用紙に表示可能な数以上に供給された場合には、複数のインデックスプリント用紙上に亘って各画像が表示される。
【００５６】
上記のように画像を誇張して表示する形態は、画像を大きく表示する場合に限らず、画像の縁部に枠を付けることにより画像を誇張して表示するようにしてもよい。
【００５７】
また、インデックスプリントを作成する設定を以下のようにしてもよい。すなわち、部分評価項目の「（８）撮影失敗の有無」に関し、失敗画像はインデックスプリント用紙の先頭に表示しないようにしてもよい。さらに、「（６）画像連続性の有無」について、画像連続性を有する複数の画像を同じインデックスプリント用紙中に表示させたり、上記画像連続性を有する複数の画像のうちの１つをのみを誇張表示させるようにしてもよい。
【００５８】
さらに、同じ撮影日を持つ複数の画像が、２枚のインデックスプリント用紙に亘って表示されないように、同一撮影日の画像は１枚のインデックスプリント用紙中に表示するようにしてもよい。上記のように、本発明によれば、ユーザに負担をかけることなくインデックスプリント用紙中に画像を表示するときの誇張度合いを自動的に設定することができ、その誇張度合いに応じて各画像を誇張表示することができるので、ユーザに負担をかけることなくインデックスプリントの表示品質を高めることができる。
【００５９】
なお、本発明のインデックスプリント作成装置の機能を実行するためのプログラムをパソコンにインストールし、パソコンにおいて上記実施形態と同様にインデックスプリントの作成を行なうことが可能である。
【図面の簡単な説明】
【００６０】
【図１】本発明のインデックスプリント作成装置の概略構成を示すブロック図
【図２】部分評価情報一覧表
【図３】表示誇張度基準を示す表示誇張度基準表
【図４】各画像の表示誇張度値の集計一覧表
【図５】インデックスプリント用紙上に画像を表示してなるインデックスプリントを示す図
【符号の説明】
【００６１】
５    インデックスプリント用紙
５´    インデックスプリント
１０    表示誇張度取得部
２０    表示制御部
３０    画像情報処理部
【図１】
0004437996.tif 000002
【図２】
0004437996.tif 000003
【図３】
0004437996.tif 000004
【図４】
0004437996.tif 000005
【図５】
0004437996.tif 000006